(57)【要約】【課題】携帯通信端末のユーザのニーズに適切にマッチした情報を適切なタイミングで自動的に提供することができる携帯通信端末用情報配信システムを提供する。【解決手段】アプリケーションプログラム搭載機能を有する携帯通信端末１０と、アプリケーションプログラム配信サーバ２０と、コンテンツ配信サーバ３０とを有し、アプリケーションプログラム配信サーバ２０は、携帯通信端末１０からのダウンロード要求により携帯通信端末１０の固有ＩＤを発行し、待ち受けアプリケーションプログラムに付してリクエスト元の携帯通信端末１０に配信し、携帯通信端末１０は、固有ＩＤを付したリクエストをコンテンツ配信サーバ３０に送信し、コンテンツ配信サーバ３０は、固有ＩＤに基づき、携帯通信端末１０を特定し、その携帯通信端末１０のユーザの属性に適合したコンテンツを配信する。【選択図】　図１
2004078467.tif 000002
【特許請求の範囲】
【請求項１】
任意のアプリケーションプログラムをダウンロードして起動可能なアプリケーションプログラム搭載機能を有する携帯通信端末と、該携帯通信端末からのダウンロード要求に応じて指定されたアプリケーションプログラムを配信するアプリケーションプログラム配信サーバと、前記携帯通信端末に所定のコンテンツを配信するコンテンツ配信サーバとを有し、
前記アプリケーションプログラム配信サーバは、前記携帯通信端末にダウンロードされ起動されることによって、前記コンテンツ配信サーバに自動的にコンテンツの配信を要求するリクエストを行い、前記コンテンツ配信サーバからコンテンツの配信を受ける処理を前記携帯通信端末に実行させる携帯通信端末用待ち受けアプリケーションプログラムを有し、前記携帯通信端末からのダウンロード要求に応じて前記携帯通信端末用待ち受けアプリケーションプログラムに前記携帯通信端末の固有ＩＤを付してリクエスト元の携帯通信端末に配信し、
前記携帯通信端末は、前記携帯通信端末用待ち受けアプリケーションプログラムの実行により、前記リクエストに前記アプリケーションプログラム配信サーバから受け取った固有ＩＤを付してコンテンツ配信サーバに送信し、
前記コンテンツ配信サーバは、前記リクエストを受け取った場合に、該固有ＩＤの情報に基づき、リクエスト元の携帯通信端末を特定し、該携帯通信端末を所有するユーザの属性に適合したコンテンツをリクエスト元の携帯通信端末に配信することを特徴とする携帯通信端末用情報配信システム。
【請求項２】
前記携帯通信端末用待ち受けアプリケーションプログラムは、
前記携帯通信端末の表示部に規定の表示枠を表示させ、該表示枠内に前記コンテンツ配信サーバから配信を受けたコンテンツを表示させる処理を行うことを特徴とする請求項１に記載の携帯通信端末用情報配信システム。
【請求項３】
前記携帯通信端末用待ち受けアプリケーションプログラムは、
前記携帯通信端末から前記コンテンツ配信サーバにリクエストを送るタイミングを前記携帯通信端末側で変更することができることを特徴とする請求項１または２に記載の携帯通信端末用情報配信システム。
【請求項４】
前記携帯通信端末用待ち受けアプリケーションプログラムは、
前記表示枠内に表示されたコンテンツをクリックした場合に、予め指定されているＵＲＬのホームページにアクセスするクリッカブル処理を行うことを特徴とする請求項２または３に記載の携帯通信端末用情報配信システム。
【請求項５】
前記コンテンツには、文字情報と画像情報が含まれており、
前記携帯通信端末用待ち受けアプリケーションプログラムは、前記文字情報を表示する文字情報表示枠と、前記画像情報を表示する画像情報表示枠を前記携帯通信端末の表示部に表示させる処理を行うことを特徴とする請求項２〜４のいずれかに記載の携帯通信端末用情報配信システム。
【請求項６】
前記コンテンツには、音声情報が含まれており、
前記携帯通信端末用待ち受けアプリケーションプログラムは、携帯通信端末の操作時や送受信時などの予め設定された条件を満たすことによって、前記音声情報を発する処理を行うことを特徴とする請求項２〜５のいずれかに記載の携帯通信端末用情報配信システム。
【発明の詳細な説明】
【０００１】
【発明の属する技術分野】
本発明は、携帯通信端末にダウンロードし起動させたアプリケーションプログラムの処理により、コンテンツ配信サーバから携帯通信端末に自動的にコンテンツを配信する携帯通信端末用情報配信システムに関する。
【０００２】
【従来技術】
近年、通話機能とインターネット接続機能を有したブラウザフォンと称される携帯通信端末が普及しており、その中でも任意のアプリケーションプログラムをダウンロードして起動することにより常駐化させることができるアプリケーション搭載機能を有した携帯通信端末が種々発表され、一般に提供されている。
【０００３】
このような携帯通信端末にダウンロードされるアプリケーションプログラムの一つに、所定のタイミングでコンテンツ配信サーバから自動的に最新のコンテンツをダウンロードして更新する、いわゆる待ち受けアプリケーションプログラムと呼ばれるものがある。
【０００４】
この待ち受けアプリケーションプログラムは、例えば所定時間ごとに文字情報や画像情報、音声情報などの種々のコンテンツをコンテンツ配信サーバから自動的に取得して、待ち受け画面上に表示したり、設定時間に鳴らしたりする処理を携帯通信端末に行わせるものである。
【０００５】
これにより、企業などのサービス提供者は、待ち受けアプリケーションプログラムをインターネット上にダウンロード可能な状態に置き、その待ち受けアプリケーションの利用を希望するユーザの携帯通信端末内にダウンロードさせ、コンテンツ配信サーバから携帯通信端末にコンテンツを提供することでユーザからコンテンツ料を徴収して収益を上げている。
【０００６】
【発明が解決しようとする課題】
従来の待ち受けアプリケーションプログラムは、サービス提供者ごとに別個独立に作成しており、汎用性がなかった。したがって、各サービス提供者は、待ち受けアプリケーションプログラムを最初から作成しなければならず、多大な開発コストを必要としていた。特に近年、携帯通信端末にダウンロードできるプログラムの容量が増大され、アプリケーションプログラムの内容が複雑化する傾向にあり、プログラム開発費用の高騰が懸念されている。
【０００７】
また、従来の待ち受けアプリケーションプログラムは、例えばニュースやキャラクタのように、ユーザが予め選択した種類のコンテンツしか取得できず、選択したものが同一である場合には、配信されるコンテンツも同一のものであった。着信音や待ち受け画面用の画像に関して、ユーザは、他人との差別化・個性化を強く求めており、他人と同じものでは満足感を充足することはできなくなっている。
【０００８】
したがって、コンテンツ配信サーバから供給するコンテンツが皆同じものである場合やユーザの要求に適切にマッチしたものではない場合には、その待ち受けアプリケーションに対するユーザの興味が薄れ、待ち受けアプリケーションの利用を短時間で解約されてしまうおそれがある。このような場合、サービス提供者は、十分な収益を上げることができず、開発費用を回収することが困難な状況に陥るおそれもある。
【０００９】
本発明は、上述の点に鑑みてなされたものであり、その目的は、携帯通信端末ユーザのニーズに適切にマッチした情報を適切なタイミングで自動的に提供することができる携帯通信端末用情報配信システムを提供することにある。
【００１０】
【課題を解決するための手段】
上記の点に鑑みなされた請求項１に記載の発明は、任意のアプリケーションプログラムをダウンロードして起動可能なアプリケーションプログラム搭載機能を有する携帯通信端末と、携帯通信端末からのダウンロード要求に応じて指定されたアプリケーションプログラムを配信するアプリケーションプログラム配信サーバと、携帯通信端末に所定のコンテンツを配信するコンテンツ配信サーバとを有し、アプリケーションプログラム配信サーバは、携帯通信端末にダウンロードされ起動されることによって、コンテンツ配信サーバに自動的にコンテンツの配信を要求するリクエストを行い、コンテンツ配信サーバからコンテンツの配信を受ける処理を携帯通信端末に実行させる携帯通信端末用待ち受けアプリケーションプログラムを有し、携帯通信端末からのダウンロード要求に応じて携帯通信端末用待ち受けアプリケーションプログラムに携帯通信端末の固有ＩＤを付してリクエスト元の携帯通信端末に配信し、携帯通信端末は、携帯通信端末用待ち受けアプリケーションプログラムの実行により、リクエストにアプリケーションプログラム配信サーバから受け取った固有ＩＤを付してコンテンツ配信サーバに送信し、コンテンツ配信サーバは、リクエストを受け取った場合に、固有ＩＤの情報に基づき、リクエスト元の携帯通信端末を特定し、携帯通信端末を所有するユーザの属性に適合したコンテンツをリクエスト元の携帯通信端末に配信することを特徴とする。
【００１１】
この発明によると、アプリケーションプログラム配信サーバは、携帯通信端末の固有ＩＤを待ち受けアプリケーションプログラムに付して携帯通信端末に配信し、携帯通信端末は、待ち受けアプリケーションプログラムの起動により、リクエストに固有ＩＤを付してコンテンツ配信サーバにコンテンツの配信を自動的にリクエストするので、コンテンツ配信サーバは、固有ＩＤに基づいて携帯通信端末のユーザを特定することができ、ユーザの属性に適合したコンテンツを携帯通信端末に配信することができる。
【００１２】
したがって、ユーザは、他人とは異なる自己のニーズに適合したコンテンツを自動的に得ることができ、満足感を得ることができる。一方、サービス提供者は、待ち受けアプリケーションプログラムを長期に渡ってユーザに利用してもらうことができ、十分なコンテンツ料を得ることができる。また、コンテンツとして広告を配信する場合、関心の高いユーザにピンポイントで宣伝広告を行うことができ、効率的な宣伝広告を行うことができる。特に、携帯通信端末の待ち受け画面は、携帯通信端末を操作する際に必ず見るところであり、絶大な宣伝効果を得ることができる。
【００１３】
請求項２の発明は、請求項１に記載の携帯通信端末用情報配信システムにおいて、携帯通信端末用待ち受けアプリケーションプログラムが、携帯通信端末の表示部に規定の表示枠を表示させ、その表示枠内にコンテンツ配信サーバから配信を受けたコンテンツを表示させる処理を行うことを特徴とする。
【００１４】
この発明によると、携帯通信端末用待ち受けアプリケーションプログラムは、コンテンツを含んでおらず、携帯通信端末の表示部に表示枠を表示させ、コンテンツの配信を受けた場合にそのコンテンツを枠内に表示させるプログラムのみを有しており、汎用性を有している。したがって、本システムを利用するサービス提供者は、配信用のコンテンツのみを作成すればよく、安価なコストでサービスを提供することが可能となる。
【００１５】
請求項３の発明は、請求項１または２に記載の携帯通信端末用情報配信システムにおいて、携帯通信端末用待ち受けアプリケーションプログラムが、携帯通信端末からコンテンツ配信サーバにリクエストを送るタイミングを携帯通信端末側で変更することができることを特徴とする。
【００１６】
この発明によると、ユーザによってコンテンツを取得するタイミングを変更することができる。したがって、ユーザが取得を希望するコンテンツの種類に応じて適切に変更することができる。例えば、ユーザが取得を希望するコンテンツが株価のように頻繁に内容を更新するものである場合には、アクセスする間隔を短く設定することにより、ほぼリアルタイムで情報を得ることが可能となる。また、内容の更新が頻繁に行われないものである場合には、コンテンツ配信サーバにアクセスする間隔を長くすることで、通信費用を低く抑えることができる。
【００１７】
請求項４の発明は、請求項２または３に記載の携帯通信端末用情報配信システムにおいて、携帯通信端末用待ち受けアプリケーションプログラムは、表示枠内に表示されたコンテンツをクリックした場合に、予め指定されているＵＲＬのホームページにアクセスするクリッカブル処理を行うことを特徴とする。
【００１８】
この発明によると、ユーザは、その表示枠内に表示されたコンテンツをクリックすることで、そのコンテンツについて更に詳しい内容を知ることができる。また、本システムを利用するサービス提供者は、表示枠内に広告を表示して自社の宣伝広告を行う場合に、容易に自社のホームページ等にアクセスさせることができ、高い宣伝広告の効果を得ることができる。
【００１９】
請求項５の発明は、請求項２〜４のいずれかに記載の携帯通信端末用情報配信システムにおいて、コンテンツには、文字情報と画像情報が含まれており、携帯通信端末用待ち受けアプリケーションプログラムは、文字情報を表示する文字情報表示枠と、画像情報を表示する画像情報表示枠を携帯通信端末の表示部に表示させる処理を行うことを特徴とする。
【００２０】
この発明によると、文字情報表示枠と画像情報表示枠を有しているので、例えば、お気に入りの画像を待ち受け画面に表示したまま、文字情報のみを最新の情報に更新できる。これにより、情報量が多い画像情報のダウンロード回数を減らして、通信費用を低減することもできる。
【００２１】
請求項６の発明は、請求項２〜５のいずれかに記載の携帯通信端末用情報配信システムにおいて、上記コンテンツには音声情報が含まれており、携帯通信端末用待ち受けアプリケーションプログラムは、携帯通信端末の操作時や送受信時などの予め設定された条件を満たすことによって、音声情報を発する処理を行うことを特徴とする。
【００２２】
この発明によると、ユーザの好みにマッチした音楽などを所定のタイミングで鳴らすことができる。したがって、ユーザは、煩わしい操作を何らすることなく、自己の好みにマッチした音楽などを聴くことができ、本システムを利用するサービス提供者は、ユーザの待ち受けアプリケーションプログラムに対する興味を維持することができ、コンテンツ料の徴収により利益を上げることができる。
【００２３】
【発明の実施の形態】
次に、本発明の実施の形態について図に基づいて説明する。図１は、本実施の形態を説明する概略図である。本システム１は、携帯通信端末１０と、アプリケーションプログラム配信サーバ２０と、コンテンツ配信サーバ３０を主たる構成要素としている。
【００２４】
携帯通信端末１０は、図２に示すように、受話部１１、マイク１２、操作ボタン部１３、表示部１４などを備え、携帯電話としての通話機能と、インターネットＷに接続してサーバと双方向通信可能なインターネット接続機能と、携帯通信端末１０側で動くアプリケーションプログラム（例えばＪａｖａ（登録商標））をダウンロードし起動して常駐化させることができるアプリケーションプログラム搭載機能を有している。
【００２５】
アプリケーションプログラム配信サーバ２０は、インターネットサーバであり、携帯通信端末１０からのダウンロード要求に応じて、後述する携帯通信端末用待ち受けアプリケーションプログラム（以下、単に「待ち受けアプリケーションプログラム」という）を配信する。図３は、アプリケーションプログラム配信サーバ２０内に構築される各手段を示す説明図である。アプリケーションプログラム配信サーバ２０は、個人情報登録手段２１と、固有ＩＤ発行手段２２と、カスタマイズ手段２３と、プログラム配信手段２４を有している。個人情報登録手段２１は、携帯通信端末１０からのアプリケーションプログラムのダウンロード要求に対して携帯通信端末１０のユーザに関する個人情報の提供を要求し、携帯通信端末１０から入力された個人情報を個人情報データベースＤＢに格納して登録する。また、固有ＩＤ発行手段２２は、個人情報データベースＤＢに個人情報を格納した携帯通信端末１０専用の固有ＩＤを発行し、個人情報と関連付けした形で個人情報データベースＤＢに格納する。カスタマイズ手段２３は、共通のアプリケーションプログラムに固有ＩＤを付して、その携帯通信端末１０専用のアプリケーションプログラムを動的に生成する。そして、プログラム配信手段２４は、その携帯通信端末１０専用にカスタマイズされたアプリケーションプログラムをダウンロード要求元の携帯通信端末１０に配信する。
【００２６】
コンテンツ配信サーバ３０は、インターネットサーバであり、携帯通信端末１０からのリクエストに応じてコンテンツを配信するものである。図４は、コンテンツ配信サーバ３０内に構築される各手段を示す説明図である。コンテンツ配信サーバ３０は、個人情報抽出手段３１と、配信条件設定テーブル３２と、ターゲティング手段３３と、コンテンツ配信手段３４を有している。個人情報抽出手段３１は、コンテンツの配信を要求するリクエストに対して、リクエスト元の携帯通信端末１０を特定し、個人情報データベースＤＢの中からその携帯通信端末１０のユーザの個人情報を抽出する。リクエスト元の携帯通信端末１０の特定は、リクエストに付される固有ＩＤに基づいて行われる。配信条件設定テーブル３２は、種々の配信条件を設定したものであり、例えば配信先のユーザの性別、年齢、居住地、配信する時間帯、配信時間の間隔などが設定され、記憶されている。ターゲティング手段３３は、個人情報抽出手段３１によって抽出された携帯通信端末１０のユーザの個人情報と、配信条件設定テーブル３２によって設定されているコンテンツの配信条件に基づいて、携帯通信端末１０のユーザの属性に適合するコンテンツをコンテンツデータベースＤＢ内から選択する、いわゆるターゲティングを行う。コンテンツ配信手段３４は、ターゲティング手段３３が携帯通信端末１０のユーザの属性に適合したコンテンツの選択に成功した場合には、そのコンテンツをリクエスト元の携帯通信端末１０に配信する。一方、ターゲティング手段３３が携帯通信端末１０のユーザの属性に適合したコンテンツの選択に失敗した場合には、フィラーと呼ばれている予め設定されたコンテンツをリクエスト元の携帯通信端末１０に配信する。
【００２７】
待ち受けアプリケーションプログラムは、携帯通信端末１０にダウンロードされ起動されることによって、予め設定された所定のタイミングで自動的にコンテンツ配信サーバ３０に対してコンテンツの配信を要求し、コンテンツ配信サーバ３０からコンテンツを受け取り、表示部１４に表示したり、着信音として鳴らしたりする処理を行うものであり、画像情報や文字情報などのコンテンツは有していない。コンテンツ配信サーバ３０にリクエストを送るタイミングは、携帯通信端末１０側で自由に設定できる仕様になっており、例えば１分、５分、１５分、３０分、１時間、３時間、６時間、１２時間、２４時間などの所定時間ごとや、着信時、メール送受信時、携帯通信端末１０の操作時などに設定できる。
【００２８】
図５は、待ち受けアプリケーションプログラムの処理によって携帯通信端末の待ち受け時に表示部１４に表示される画面を示す説明図である。表示部１４には、文字情報表示枠として第１エリア１５Ａと第３エリア１５Ｃが表示され、画像情報表示枠として第２エリア１５Ｂが表示され、各表示枠１５内にはコンテンツ配信サーバから配信されたコンテンツが表示される。
【００２９】
次に、上記構成を有する携帯通信端末用情報配信システム１を用いた情報配信方法について図６のフローチャートに基づいて以下に説明する。まず最初に、携帯通信端末１０のユーザは、携帯通信端末１０からアプリケーションプログラム配信サーバ２０にアクセスし、待ち受けアプリケーションプログラムのダウンロードを要求する（ステップＳ１）。
【００３０】
携帯通信端末１０からアプリケーションプログラム配信サーバ２０にダウンロード要求をすると、携帯通信端末１０の表示部１４に個人情報の入力フォームが表示される。携帯通信端末１０のユーザが、携帯通信端末１０を操作して自己の氏名、年齢、住所など、要求された事項を入力すると、その個人情報は、アプリケーションプログラム配信サーバに送られ、個人情報登録手段２１によって個人情報データベースＤＢに格納されると共に、固有ＩＤ発行手段２２により、そのユーザ専用の固有ＩＤが発行される。
【００３１】
固有ＩＤは、そのユーザの個人情報と関連付けされた形で個人情報データベースＤＢに格納され、更に、カスタマイズ手段２３によって待ち受けアプリケーションプログラムに埋め込まれて、その携帯通信端末１０専用のアプリケーションプログラムが動的に生成される。そして、そのアプリケーションプログラムは、プログラム配信手段２４によってダウンロード要求元の携帯通信端末１０に配信される（ステップ２）。
【００３２】
携帯通信端末１０にダウンロードされたアプリケーションプログラムを起動させ常駐させると、直ちにコンテンツ配信サーバ３０にコンテンツの配信を要求するリクエストが送信される（ステップＳ３）。この携帯通信端末１０からコンテンツ配信サーバ３０へのリクエストには、常に固有ＩＤが付される。
【００３３】
コンテンツ配信サーバ３０は、携帯通信端末１０からリクエストを受けると、個人情報抽出手段３１により、固有ＩＤに基づいてリクエスト元の携帯通信端末１０を特定し、個人情報データベースＤＢに格納されている個人情報の中から、そのユーザの個人情報を抽出する。そして、その抽出されたリクエスト元の携帯通信端末１０のユーザの個人情報と、配信条件設定テーブル３２によって設定されているコンテンツの配信条件とに基づいて、携帯通信端末１０のユーザの属性に適合するコンテンツをコンテンツデータベースＤＢ内から選択し、リクエスト元の携帯通信端末１０に配信する（ステップＳ４）。
【００３４】
携帯通信端末１０に配信されたコンテンツのうち、文字情報は、第１エリア１５Ａと第３エリア１５Ｃに表示され、画像情報は、第２エリア１５Ｂに表示され、音声情報は所定条件に基づいて鳴らされる。
【００３５】
そして、ユーザ側で予め設定した間隔ごとに、携帯通信端末１０からコンテンツ配信サーバ３０にコンテンツの提供を要求するリクエストが自動的に送信され、そのリクエストに応じてコンテンツ配信サーバ３０が選択したコンテンツが携帯通信端末１０に配信される。したがって、携帯通信端末１０内のコンテンツを最新のものに自動的に更新する処理が繰り返し行われることとなる。
【００３６】
上記の携帯通信端末用情報配信システム１によれば、コンテンツ配信サーバ３０が、携帯通信端末１０のユーザの属性に適合したコンテンツを自動的に配信するので、携帯通信端末１０のユーザは、自己のニーズに適切にマッチした最新情報を適切なタイミングで受け取ることができる。そして、得られるコンテンツは、他人とは異なる最新ニュース、広告、待ち受け画像、着信音であり、十分な満足感を得ることができる。
【００３７】
一方、本システム１を利用してコンテンツを提供するサービス提供者にとっては、ユーザにとって魅力的なコンテンツを適切に提供することができる。したがって、携帯通信端末１０のユーザに待ち受けアプリケーションプログラムを長期間に渡って利用してもらうことができ、十分なコンテンツ料を徴収することができ、収益を上げることができる。また、コンテンツの一つとして、広告を配信する場合には、関心度が高いユーザに適切な広告をピンポイントでダイレクトに示すことができる。
【００３８】
したがって、従来の電子メールを用いた宣伝広告の場合には、大量の携帯通信端末１０のユーザにメール配信しようとすると配信遅延となったり、アドレス不良による不着によりトラフィックの増大を招来するなどの問題点があったが、本システム１ではメールサーバを通さないので問題は生じない。また、電子メールの場合は、ユーザがメールを開いて見なければ宣伝広告としての機能を発揮し得ないが、携帯通信端末１０の表示部１４は、携帯通信端末ユーザが電話を使用する際に、必ず見る箇所であり、宣伝広告の機能を発揮しうる場所として一等地である。本システムでは、このような箇所にユーザの属性に適合した宣伝広告を表示させることができるので、非常に高い宣伝効果を得ることができる。
【００３９】
また、本システム１によれば、待ち受けアプリケーションプログラムは、コンテンツ配信サーバ３０から配信を受けたコンテンツを携帯通信端末１の表示部１４に表示したり、所定タイミングで鳴らしたりするためのプログラムであり、それ自身ではコンテンツを含まないものであるので、広い汎用性を有しており、従来のように、待ち受けアプリケーションを最初から作成する必要がない。したがって、本システム１を利用するサービス提供者は、コンテンツ配信サーバ３０から配信するコンテンツだけを作成すればよく、サービスに係る開発コストを大幅に低減できる。
【００４０】
また、本システムによれば、携帯通信端末１０からコンテンツ配信サーバ３０にリクエストを送るタイミングを携帯通信端末１０側で変更することができるので、例えばコンテンツが頻繁に内容を更新するものである場合には、アクセスする間隔を短く設定することにより、ほぼリアルタイムに情報を得ることができる。また、内容の更新が頻繁に行われないものである場合には、アクセス間隔を長く設定することで、通信費用を低く抑えることができる。
【００４１】
また、本システム１によれば、コンテンツ配信サーバ３０から携帯通信端末１０にコンテンツの配信を受けたユーザは、表示部１４の表示枠１５内に表示されたコンテンツをクリックすることで指定されたＵＲＬのホームページにアクセスすることができるので、そのコンテンツについて更に詳しい内容を迅速かつ容易に知ることができる。また、本システムを利用するサービス提供者は、表示枠１５内に広告を表示して自己の宣伝広告を行う場合に、ユーザを自己のホームページ等に容易に導くことができ、より高い宣伝効果を得ることができる。
【００４２】
また、本システム１によれば、携帯通信端末１０の表示部１４に文字情報を表示する第１エリア１５Ａ及び第３エリア１５Ｃ（文字情報表示枠）と、画像情報を表示する第２エリア１５Ｂ（画像情報表示枠）を表示するので、例えば、画像を残したまま、文字情報のみを最新の情報に更新できる。これにより、例えばお気に入りの画像を維持することもでき、また、情報量が多い画像情報のダウンロード回数を減らして、通信費用を低減することもできる。
【００４３】
また、本システム１によれば、携帯通信端末１０の操作時や送受信時などの所定のタイミングで音声情報を携帯通信端末１０から発することができるので、ユーザは、煩わしい操作を何らすることなく、自己の好みにマッチした音楽などを適切なタイミングで聴くことができる。
【００４４】
尚、本発明は、上述の実施の形態に限定されるものではなく、本発明の趣旨を逸脱しない範囲で種々の変更が可能である。例えば、上述の実施の形態では、アプリケーションプログラム配信サーバ２０とコンテンツ配信サーバ３０を物理的に２つに分けて示したが、同一のサーバ内に構築してもよい。
【００４５】
また、上述の実施の形態では、携帯通信端末１０の表示部１５を３つの表示枠１４に分割する場合を例に説明したが、その数を増減してもよい。また、上述の実施の形態では、第１エリア１５Ａと第３エリア１５Ｃを文字情報表示枠とし、第２エリア１５Ｂを画像情報表示枠としたが、種々の組合せが可能であり、全てのエリアを文字情報表示枠としてもよい。
【００４６】
【発明の効果】
以上説明したように、本発明に係る携帯通信端末用情報配信システムによれば、アプリケーションプログラム配信サーバは、固有ＩＤを待ち受けアプリケーションプログラムに付して携帯通信端末に配信し、携帯通信端末は、リクエストに固有ＩＤを付してコンテンツ配信サーバにコンテンツの配信をリクエストするので、コンテンツ配信サーバは、携帯通信端末のユーザを特定することができ、ユーザの属性に適合したコンテンツを携帯通信端末に配信することができる。
【００４７】
したがって、ユーザは、他人とは異なる自己のニーズに適合したコンテンツを自動的に得ることができ、満足感を得ることができる。一方、本システムを利用するサービス提供者は、待ち受けアプリケーションプログラムを長期に渡ってユーザに利用してもらうことができ、十分なコンテンツ料を得ることができる。また、コンテンツとして広告を配信する場合、関心の高いユーザにピンポイントで宣伝広告を行うことができ、効率的な宣伝広告を行うことができる。
【００４８】
また、他の発明によれば、携帯通信端末用待ち受けアプリケーションプログラムは、コンテンツを含んでおらず、携帯通信端末の表示部に表示枠を表示させ、コンテンツの配信を受けた場合にそのコンテンツを枠内に表示させるプログラムだけであるので、汎用性を有している。したがって、本システムを利用する者は、配信用のコンテンツのみを作成すればよく、安価なコストでサービスを提供することが可能となる。
【図面の簡単な説明】
【図１】本実施の形態を説明する概略図である。
【図２】携帯通信端末の構成を説明する概略図である。
【図３】アプリケーションプログラム配信サーバ内に構築される各手段を示す説明図である。
【図４】コンテンツ配信サーバ内に構築される各手段を示す説明図である。
【図５】携帯通信端末の待ち受け時に表示部に表示される画面を示す説明図である。
【図６】携帯通信端末用情報配信システムを用いた情報配信方法を説明するフローチャートである。
【符号の説明】
１　携帯通信端末用情報配信システム
１０　携帯通信端末
２０　アプリケーションプログラム配信サーバ
２１　個人情報登録手段
２２　固有ＩＤ発行手段
２３　カスタマイズ手段
２４　プログラム配信手段
３０　コンテンツ配信サーバ
３１　個人情報抽出手段
３２　配信条件設定テーブル
３３　ターゲティング手段
３４　コンテンツ配信手段
【図１】
2004078467.tif 000003
【図２】
2004078467.tif 000004
【図３】
2004078467.tif 000005
【図４】
2004078467.tif 000006
【図５】
2004078467.tif 000007
【図６】
2004078467.tif 000008